(57)【要約】【課題】表示領域の周囲に非表示領域が存在し、いわゆる額縁領域が形成されることにより観察者に違和感を与えることを回避する。【解決手段】パネルモジュール１及びこれと固定されたバックキャビネット３の周縁に沿って光学部材２００が形成されたフロントキャビネット２を配置する。光学部材２００により、表示面１ａ側から見て、パネルモジュール１の前面側及び背面側の、非表示領域１１ｂと重なる領域を、パネルモジュール１の側面側から覆い、非表示領域１１ｂと重なる領域の背部の光をパネルモジュール１の背面側から前面側に導き、この前面側の部分に、表示面１ａ側の観察者から見て背景像が表示されて見えるようにし、あたかも、フロントキャビネット２が存在しないかのように見せることで、額縁領域が存在しない場合と同等の状態を実現する。【選択図】図２
2009086116.tif 000002
【特許請求の範囲】
【請求項１】
表示領域及び当該表示領域の外周に配置される非表示領域が形成された表示面を有するパネルモジュールと、
当該パネルモジュールの表示面側から見て、前記パネルモジュールの非表示領域と重なる領域の背部からの光が入射され、当該光を前記パネルモジュールの端面外側を迂回して、前記パネルモジュールの表示面側の非表示領域と重なる領域から出射する光学部材と、を備えることを特徴とする電気光学装置。
【請求項２】
前記光学部材は、前記表示面側から見て、
前記パネルモジュールの背面に前記非表示領域と重なるように設置され背部からの光が入射される入射面と、
前記パネルモジュールの表示面側に前記非表示領域と重なるように設置され前記入射面に入射された光を出射する出射面と、を備え、
前記入射面及び出射面は、前記表示領域側の端部が前記非表示領域と表示領域との境界位置と重なるように又は前記表示領域と一部重なるように設置されることを特徴とする請求項１記載の電気光学装置。
【請求項３】
前記入射面に入射される光を、前記出射面に導く複数の反射面を備えることを特徴とする請求項２記載の電気光学装置。
【請求項４】
一部が前記入射面をなす第１の透過面と、
前記入射面に入射された光を前記第１の透過面に向けて反射する第１の反射面と、を有し、
前記第１の透過面と前記第１の反射面とは、前記第１の反射面の反射光が前記第１の透過面に入射されるときの入射角が、前記第１の透過面の臨界角よりも大きな角度となるように設置されることを特徴とする請求項３記載の電気光学装置。
【請求項５】
一部が前記出射面をなす第２の透過面と、
入射される光を前記第２の透過面に向けて反射する第２の反射面と、を有し、
前記第２の透過面と前記第２の反射面とは、前記第２の反射面の反射光が前記第２の透過面に入射されるときの角度が、前記第２の透過面の臨界角よりも大きな角度となるように設置されることを特徴とする請求項３又は４に記載の電気光学装置。
【請求項６】
前記入射面に入射された光は、偶数回反射されて前記出射面に導かれることを特徴とする請求項３から５の何れか１項に記載の電気光学装置。
【請求項７】
前記光学部材は、前記表示面側から見て、
前記入射面に入射された光を反射して前記パネルモジュール端面の外側に設定された焦点に集光させる第１の放物面鏡と、
前記パネルモジュールを挟んで前記第１の放物面鏡と対称な位置に設置され、焦点が前記第１の放物面と同一に設定された第２の放物面鏡と、
前記第１の放物面鏡の焦点位置に前記第１及び第２の放物面鏡がなす対称軸と垂直に設置される一の反射面と、を備えることを特徴とする請求項２記載の電気光学装置。
【請求項８】
前記光学部材は、前記表示面側から見て、
前記入射面に入射された光を反射して前記パネルモジュール端面の外側に集光させる第１の放物面鏡と、
前記パネルモジュールを挟んで前記第１の放物面鏡と対称な位置に設置される第２の放物面鏡と、
１又は複数の反射面を有し、前記第１の放物面鏡の反射光を前記１又は複数の反射面を介して前記第１及び第２の放物面鏡がなす対称軸上に設定された焦点に導く第１の反射構造と、
前記第１及び第２の放物面鏡がなす対称軸を軸として前記第１の反射構造と対称な位置に設置される第２の反射構造と、
前記焦点の位置に前記第１及び第２の放物面鏡がなす対称軸と垂直に設置される一の反射面と、を備えることを特徴とする請求項２記載の電気光学装置。
【請求項９】
前記第１の反射構造は、一部が前記入射面をなす透過面であり且つ前記第１の放物面鏡の反射光を入射しその入射角が臨界角よりも大きな角度となるように設置される第１の透過面を有し、
前記第２の反射構造は、前記第１及び第２の放物面鏡がなす対称軸を軸として前記第１の透過面と対称な位置に設置される第２の透過面を有することを特徴とする請求項８記載の電気光学装置。
【請求項１０】
前記第１の反射構造は、一部が前記入射面をなす透過面であり且つ前記第１の放物面鏡の反射光を入射しその入射角が臨界角よりも大きな角度となるように設置される第１の透過面と、
当該第１の透過面の反射光を前記一の反射面に向けて反射し前記焦点に集光させる第１の反射面と、を有し、
前記第２の反射構造は、前記第１及び第２の放物面鏡がなす対称軸を軸として前記第１の透過面及び第１の反射面のそれぞれと対称な位置に設置される第２の透過面及び第２の反射面を有することを特徴とする請求項８記載の電気光学装置。
【請求項１１】
前記パネルモジュールの表示面側から見て、
前記光学部材のうち、前記パネルモジュール端面より外側の、前記入射面及び出射面と重ならない領域に入射される背部からの光は、そのまま透過されて出射されることを特徴とする請求項３から１０の何れか１項に記載の電気光学装置。
【請求項１２】
前記表示面側から見て、前記光学部材の入射側又は出射側の前記非表示領域と重なる領域に、前記入射面に入射される光の伝達光路における光路長差調整用のリレーレンズを配置したことを特徴とする請求項１から１１の何れか１項に記載の電気光学装置。
【請求項１３】
前記第１の放物面鏡及び第２の放物面鏡の少なくとも何れか一方は、前記入射面に入射される光の伝達光路における光路長差を吸収するように形成されることを特徴とする請求項７から１１の何れか１項に記載の電気光学装置。
【発明の詳細な説明】
【技術分野】
【０００１】
本発明は、液晶表示パネルといった、フラットパネルディスプレイからなる電気光学装置に関する。
【背景技術】
【０００２】
従来、電気光学装置としての液晶表示装置は表示パネルとして用いられ、ノート型パソコンや、液晶テレビ等といった電子機器に搭載されている。これら電子機器では、筐体内部の限られた空間に液晶表示装置を収容する必要があり、また、液晶表示装置によって表示し得る情報量を多くしたいという要求から、液晶表示装置の表示領域を極力広くし、且つ表示領域外の領域、すなわち非表示領域を狭くするという構成が望まれている。なお、上記の非表示領域は額縁領域と呼ばれることがある。
【０００３】
この非表示領域を狭くすることの可能な表示装置として、例えば、液晶表示装置の駆動制御を行うための駆動用ＩＣとこの駆動用ＩＣに接続される配線とを、非表示領域に配置する際の配置位置を調整することにより、非表示領域の範囲を狭めるようにしたものが提案されている（例えば、特許文献１参照）。また、非表示領域に両面接着テープを貼着しこの両面接着テープで液晶表示パネルとバックライトユニットとを固定する方法とした場合、これらを固着するためにはある程度十分な領域を確保する必要があることに鑑み、両面接着テープで貼着するのではなく、偏光板を、液晶表示パネルとバックライトユニットとを固定可能な形状に形成することで、非表示領域を狭めるようにしたものも提案されている（例えば、特許文献２参照）。
【特許文献１】特開２００２−１４００１５号公報
【特許文献２】特開２００７−１６４０５７号公報
【発明の開示】
【発明が解決しようとする課題】
【０００４】
しかしながら、何れの方法においても、非表示領域を狭めることはできるものの、非表示領域を完全になくすことはできず、多少なりの非表示領域が残ってしまう。このため、この液晶表示パネルをパソコンや液晶テレビの筐体に組み込む場合には、この非表示領域を覆う外枠を配置する必要がある。
液晶テレビの視聴者の中には、美的感覚の点等からこのような外枠に対して違和感を覚える人も存在する。例えば、大型テレビで雄大な景色の映像を見ている場合等には、視界に無機質な外枠が入ってくるため、映像から得られる雰囲気を壊すと感ずること等が考えられる。
そこで、この発明は、上記従来の未解決の問題に着目してなされたものであり、液晶表示パネルといったフラットパネルディスプレイ等の電気光学装置において、表示領域の周囲に非表示領域が存在することによって生ずる違和感を解消することである。
【課題を解決するための手段】
【０００５】
上記した課題を解決するために、本発明の電気光学装置は、表示領域及び当該表示領域の外周に配置される非表示領域が形成された表示面を有するパネルモジュールと、当該パネルモジュールの表示面側から見て、前記パネルモジュールの非表示領域と重なる領域の背部からの光が入射され、当該光を前記パネルモジュールの端面外側を迂回して、前記パネルモジュールの表示面側の非表示領域と重なる領域から出射する光学部材と、を備えることを特徴としている。
これにより、表示面側の観察者からは、パネルモジュールの非表示領域と重なる領域には背景が表示されて見えるため、表示面に非表示領域が存在しない場合と同等の状況を実現することができる。
【０００６】
また、上記した電気光学装置において、前記光学部材は、前記表示面側から見て、前記パネルモジュールの背面に前記非表示領域と重なるように設置され背部からの光が入射される入射面と、前記パネルモジュールの表示面側に前記非表示領域と重なるように設置され前記入射面に入射された光を出射する出射面と、を備え、前記入射面及び出射面は、前記表示領域側の端部が前記非表示領域と表示領域との境界位置と重なるように又は前記表示領域と一部重なるように設置されることを特徴としている。
【０００７】
これにより、表示面側の観察者から、非表示領域の背景が、表示領域に重なって見えることはなく、表示領域に背景が重なって表示されることにより違和感を与えることを回避することができる。
また、上記した電気光学装置において、前記入射面に入射される光を、前記出射面に導く複数の反射面を備えることを特徴としている。
入射面に入射される光を、出射面に反射を繰り返すことで導くため、色収差が生じるとなく容易に導くことができる。
【０００８】
また、上記した電気光学装置において、一部が前記入射面をなす第１の透過面と、前記入射面に入射された光を前記第１の透過面に向けて反射する第１の反射面と、を有し、前記第１の透過面と前記第１の反射面とは、前記第１の反射面の反射光が前記第１の透過面に入射されるときの入射角が、前記第１の透過面の臨界角よりも大きな角度となるように設置されることを特徴としている。
入射面は、光を入射するだけでなく、光を反射する面としても作用するため、その分、反射面の数を削減することができる。
【０００９】
また、上記した電気光学装置において、一部が前記出射面をなす第２の透過面と、入射される光を前記第２の透過面に向けて反射する第２の反射面と、を有し、前記第２の透過面と前記第２の反射面とは、前記第２の反射面の反射光が前記第２の透過面に入射されるときの角度が、前記第２の透過面の臨界角よりも大きな角度となるように設置されることを特徴としている。
【００１０】
出射面は、光を出射するだけでなく、光を反射する面として作用するため、その分、反射面の数を削減することができる。
また、上記した電気光学装置において、前記入射面に入射された光は、偶数回反射されて前記出射面に導かれることを特徴としている。
これにより、出射面に表示されて見える背景像が、左右反転等することなく、正立像として表示させることができる。
【００１１】
また、本発明の電気光学装置は、前記光学部材は、前記表示面側から見て、前記入射面に入射された光を反射して前記パネルモジュール端面の外側に設定された焦点に集光させる第１の放物面鏡と、前記パネルモジュールを挟んで前記第１の放物面鏡と対称な位置に設置され、焦点が前記第１の放物面と同一に設定された第２の放物面鏡と、前記第１の放物面鏡の焦点位置に前記第１及び第２の放物面鏡がなす対称軸と垂直に設置される一の反射面と、を備えることを特徴としている。
【００１２】
また、本発明の電気光学装置は、前記光学部材は、前記表示面側から見て、前記入射面に入射された光を反射して前記パネルモジュール端面の外側に集光させる第１の放物面鏡と、前記パネルモジュールを挟んで前記第１の放物面鏡と対称な位置に設置される第２の放物面鏡と、１又は複数の反射面を有し、前記第１の放物面鏡の反射光を前記１又は複数の反射面を介して前記第１及び第２の放物面鏡がなす対称軸上に設定された焦点に導く第１の反射構造と、前記第１及び第２の放物面鏡がなす対称軸を軸として前記第１の反射構造と対称な位置に設置される第２の反射構造と、前記焦点の位置に前記第１及び第２の放物面鏡がなす対称軸と垂直に設置される一の反射面と、を備えることを特徴としている。
【００１３】
また、上記した電気光学装置において、前記第１の反射構造は、一部が前記入射面をなす透過面であり且つ前記第１の放物面鏡の反射光を入射しその入射角が臨界角よりも大きな角度となるように設置される第１の透過面を有し、前記第２の反射構造は、前記第１及び第２の放物面鏡がなす対称軸を軸として前記第１の透過面と対称な位置に設置される第２の透過面を有することを特徴としている。
【００１４】
また、上記した電気光学装置において、前記第１の反射構造は、一部が前記入射面をなす透過面であり且つ前記第１の放物面鏡の反射光を入射しその入射角が臨界角よりも大きな角度となるように設置される第１の透過面と、当該第１の透過面の反射光を前記一の反射面に向けて反射し前記焦点に集光させる第１の反射面と、を有し、前記第２の反射構造は、前記第１及び第２の放物面鏡がなす対称軸を軸として前記第１の透過面及び第１の反射面のそれぞれと対称な位置に設置される第２の透過面及び第２の反射面を有することを特徴としている。
【００１５】
このように、放物面鏡を用いることにより、入射面に入射された光を出射面まで導く際の反射回数を、反射面のみを用いた場合に比較してより少なくすることができる。
また、上記した電気光学装置において、前記パネルモジュールの表示面側から見て、前記光学部材のうち、前記パネルモジュール端面より外側の、前記入射面及び出射面と重ならない領域に入射される背部からの光は、そのまま透過されて出射されることを特徴としている。
【００１６】
これによって、表示面側から見て、非表示領域と重なる領域には背景像が表示されて見え、非表示領域と重ならない領域には背景像がそのまま透過されて見えるから、観察者からは、表示領域の周囲のいわゆる額縁領域が見えることはなく、すなわち、額縁領域が存在しない場合と同等の状態を実現することができる。
また、上記した電気光学装置において、前記表示面側から見て、前記光学部材の入射側又は出射側の前記非表示領域と重なる領域に、前記入射面に入射される光の伝達光路における光路長差調整用のリレーレンズを配置したことを特徴としている。
【００１７】
さらに、上記した電気光学装置において、前記第１の放物面鏡及び第２の放物面鏡の少なくとも何れか一方は、前記入射面に入射される光の伝達光路における光路長差を吸収するように形成されることを特徴としている。
このように、光路長差調整用のリレーレンズを配置したり、放物面鏡を調整したりすることで、観察者に見える背景像を、歪みのない鮮明な背景像とすることができる。
【発明を実施するための最良の形態】
【００１８】
以下、本発明の実施の形態を説明する。
まず、第１の実施の形態を説明する。
初めに構成を説明する。
図１は、本発明を適用した液晶テレビ１００を分解した概略斜視図の一例である。
図１に示すように、液晶テレビ１００は、パネルモジュール１と、フロントキャビネット２と、バックキャビネット３とを備える。
【００１９】
パネルモジュール１は、略板状のパネル部１１と、パネル部１１の周縁に連なるフランジ部１２とを有する。パネル部１１には、液晶表示パネルと、バックライトユニットと、これら液晶表示パネルやバックライトユニットを駆動制御するための回路基板や電源基板等の電気部品等とを備える。パネル部１１の一方の面の略中央にはテレビの映像を表示する表示領域１１ａが形成され、この表示領域１１ａの周囲に液晶表示パネル駆動用のＩＣやこの駆動用ＩＣと回路基板とを接続する配線等が配置された非表示領域１１ｂが形成される。
【００２０】
フロントキャビネット２は、パネルモジュール１及びバックキャビネット３の周縁部を取り囲む四角形の枠状に形成される。このフロントキャビネット２は、透過面や反射面を有する、ガラスや石英等の光学物質からなる光学部材で構成される。
バックキャビネット３は、パネルモジュール１のパネル部１１を背面側から覆いこれを収容する覆部３１と、覆部３１の周縁に連なりパネルモジュール１のフランジ部１２と対向するフランジ部３２とを有する。
【００２１】
図２は、正面から見て、フロントキャビネット２を構成する左側の枠部分の詳細を示す図であって、（ａ）は図１のＡ−Ａ′断面図、（ｂ）はその斜視図である。
フロントキャビネット２は、図２に示すように、断面が略逆Ｓ字状の光学部材２００で形成され、この光学部材２００は窪み１０１を有する。また、この光学部材２００の外面は複数の平面で構成される。
【００２２】
なお、パネルモジュール１とバックキャビネット３とを、図２では、模式的にパネルモジュール１として表している。また、パネルモジュール１の非表示領域１１ｂとフランジ部１２とを、図２では、模式的に非表示領域１１ｂとして表している。
また、図２の説明においては、パネルモジュール１の表示面１ａ側から見た位置関係として説明する。
【００２３】
窪み１０１は、図２に示すように、底面１０１ａと、底面１０１ａの両側に形成された側面１０１ｂ及び１０１ｃとで構成される。そして、底面１０１ａとパネルモジュール１の側面とが対向するように配置される。
光学部材２００は、入射側の透過面１１１と、反射面１１２〜１１４、１１６、１１８と、透過面１１５と、出射側の透過面１１７と、を備え、反射面１１２〜１１４、１１６、１１８は、それぞれ外周にアルミ箔等の反射膜が貼着され平面鏡を形成している。
【００２４】
透過面１１１は、窪み１０１にパネルモジュール１が収容された場合に、パネルモジュール１の後側に位置する。また、透過面１１１は、光学部材２００内部に、表示面１ａ側から見て透過面１１１背部の領域Ｗ１及びＷ３の光（背景）を入射する。
また、透過面１１１は、臨界角よりも大きな角度で入射される光を反射する。そのため、後述するように、反射面１１２の反射光は臨界角よりも大きな入射角で入射されるので、この反射面１１２の反射光は透過面１１１で全反射される。つまり、透過面１１１は、光を入射する透過面として作用すると共に、反射面１１２の反射光を全反射する反射面として作用する。
反射面１１２は、透過面１１１から入射した光を後述する反射面１１３の方向に反射する。また、反射面１１２は、この反射面１１２の反射光が透過面１１１に入射されるときの入射角が、透過面１１１の臨界角よりも大きな角度となるように配置される。
【００２５】
また、反射面１１２は、窪み１０１にパネルモジュール１が収容されたときに、表示面１ａ側から見て、パネルモジュール１の非表示領域１１ｂと重なる幅を有し、且つ反射面１１２の表示領域１１ａ側の端部は、非表示領域１１ｂと表示領域１１ａとの境界位置、又は境界位置よりも表示領域１１ａ側に若干入った位置と重なるように配置される。つまり、後述のように、光学部材２００により迂回して前面側から出射される背景像と表示領域１１ａの表示映像とが、表示領域１１ａと非表示領域１１ｂとの境界位置で隣接するか、又は背景像が表示領域１１ａと一部重なるように配置され、このとき観察者には、表示領域１１ａ上に背景像が重なって表示されて見えることにより、表示領域１１ａの表示映像の妨げとならない程度に重なるように配置される。
【００２６】
反射面１１３は、前記透過面１１１で全反射された反射光を後述する反射面１１４の方向に反射する。
反射面１１４は、前記窪み１０１の後側の側面、すなわち、パネルモジュール１の後側となる側面１０１ｂを形成し、反射面１１３の反射光を後述する透過面１１５に向けて反射する。
【００２７】
透過面１１５は、表示面１ａ側から見た前後方向の位置が前記反射面１１２と反射面１１４との間であり、且つ前記透過面１１１と平行に配置される。また、透過面１１５は、反射面１１４の反射光を入射し、これを後述の反射面１１６に向けて全反射する。
ここで、透過面１１５と前記反射面１１４とは、反射面１１４の反射光が透過面１１５に入射されるときの入射角が、透過面１１５の臨界角よりも大きな角度となるように配置される。このため、透過面１１５は、反射面１１４の反射光を全反射する。また、透過面１１５は、前記反射面１１２と重ならない領域Ｗ２の背部の光（背景）を入射しこれを透過する。
つまり、透過面１１５は、領域Ｗ２の背部の光（背景）を透過する透過面として作用すると共に、反射面１１４の反射光を全反射する反射面として作用する。
反射面１１６は、透過面１１５の反射光を後述の透過面１１７に向けて反射する。
【００２８】
透過面１１７は、窪み１０１にパネルモジュール１が収容された場合に、窪み１０１の手前側の側面１０１ｃよりも手前側に、前記透過面１１１及び透過面１１５と平行に配置される。また、透過面１１７は、反射面１１６の反射光を全反射する。ここで、透過面１１７と前記反射面１１６とは、反射面１１６の反射光が透過面１１７に入射されるときの入射角が、透過面１１７の臨界角よりも大きな角度となる角度に配置される。そして、透過面１１７は、前記透過面１１５で透過された光をそのまま透過して出射すると共に、反射面１１６の反射光を反射面１１８に向けて全反射する。また、透過面１１７はこの反射面１１８から垂直に入射される反射光をそのまま透過して出射する。つまり、透過面１１７は反射面１１６の反射光を全反射する反射面として作用すると共に、透過面１１５を透過した透過光及び反射面１１８の反射光を垂直に出射する透過面として作用する。
【００２９】
反射面１１８は、窪み１０１の手前側の側面１０１ｃを形成し、前記透過面１１７で反射された反射光を反射面１１８に向けて反射する。ここで、透過面１１７と反射面１１８とは、反射面１１８の反射光が、透過面１１７から垂直に出射されるように配置される。
また、反射面１１８は、窪み１０１にパネルモジュール１が収容されたときに、表示面１ａ側から見て、パネルモジュール１の非表示領域１１ｂと重なる幅であり、且つ反射面１１２と同じ幅に形成される。
【００３０】
そして、各反射面１１２〜１１４、１１６、１１８及び透過面１１１、１１５、１１７は、表示面１ａ側から見て、透過面１１１を介して反射面１１２に入射される領域Ｗ１の背景と、透過面１１７から出射される光からなる背景像とが一致するように、それぞれ配置される。
このため、図２に示すように、表示面１ａ側の観察者には、光学部材２００の前面に配置される透過面１１７において、反射面１１２と重なる領域Ｗ１は、この領域Ｗ１の背景と一致する背景像が透過面１１７に表示されて見えることになる。また、透過面１１５の、反射面１１２と重ならない領域Ｗ２においては、この領域Ｗ２の背景が透過面１１５で透過されそのまま透過面１１７から出射される。したがって、表示面１ａ側から見て、透過面１１７と重なる領域（Ｗ１＋Ｗ２）の背景像が、透過面１１７に表示されて見えることになる。
【００３１】
また、透過面１１１の反射面１１２と重ならない領域Ｗ３においては、透過面１１１で透過された光（背景）は反射面１１４で反射されるため、透過面１１７側には伝達されない。
したがって、図２に示すように、窪み１０１にパネルモジュール１を収容し、正面側から見たとき、パネルモジュール１の非表示領域１１ｂは、フロントキャビネット２つまり光学部材２００により覆われるため、フロントキャビネット２の透過面１１７と表示領域１１ａとのみが見えることになる。そして、透過面１１７には、パネルモジュール１の非表示領域１１ｂと重なる領域Ｗ１の背景像と、透過面１１５を透過する領域Ｗ２の背景像とが表示されて見えるため、表示面１ａ側の観察者からは、あたかも、フロントキャビネット２が存在しないかのように見える。つまり、液晶テレビ１００の、表示領域１１ａのみが見えることになり、背景の中に、液晶テレビ１００の表示映像のみが浮かんで見えることになる。
【００３２】
図３は、フロントキャビネット２と、パネルモジュール１及びバックキャビネット３との取り付け部分を示す概略図である。なお図３は、液晶テレビ１００を正面側から見て、左側面における取り付け部分の断面図を示す。
パネルモジュール１とバックキャビネット３とは、バックキャビネット３の覆部３１にパネルモジュール１のパネル部１１を収容した状態で、パネルモジュール１のフランジ部１２とバックキャビネット３のフランジ部３２とを重ね合わせてフランジ部１２側からネジ止めすること等により固定される。
【００３３】
固定されたパネルモジュール１及びバックキャビネット３のこれらの端面を覆うようにフロントキャビネット２が配置され、フロントキャビネット２及びバックキャビネット３が、分散して配置される複数の取り付け部材５によって固定される。
この取り付け部材５は、保持部５１とベース部５３とを有する。ベース部５３は板状に形成され、バックキャビネット３の背面に固定される。保持部５１はベース部５３の略中央から略垂直に立設して設けられ、ベース部５３と平行となるように折り曲げられた鍵型を有し、この鍵型部分とベース部５３とで略カタカナの“コ”の字部材を形成する。そして、この“コ”の字部材と、フロントキャビネット２の、透過面１１１と、反射面１１３及び１１４とで形成される凸部２ａとが嵌合することにより、フロントキャビネット２を保持する。このように凸部２ａを保持した状態で、ベース部５３をバックキャビネット３の背面にベース部５３側からネジ止めすること等により、フロントキャビネット２とバックキャビネット３とが固定され、結果的に、フロントキャビネット１とバックキャビネット３との間にパネルモジュール１が挟まれて、これらが固定される。
【００３４】
また、フロントキャビネット２は、実際には複数の部材に分割して形成され、フロントキャビネット２の分断させた各部材を、それぞれパネルモジュール１及びバックキャビネット３に取り付けると共に、複数の部材どうしを固定することで枠状をなす。
例えば、矩形の枠状のフロントキャビネット２において、液晶テレビ１００の正面側から見て、上辺及び左右の辺に対応する部材からなる上側部材と、下辺に対応する部材からなる下側部材とに分割してもよく、また、矩形の４辺それぞれを個別の部材として設けてもよく、また、隣り合う２辺どうしを１つの部材として、２つの部材を突き合わせるようにしてもよい。液晶テレビ１００の観察者が、分割した各部を接合する継ぎ目部分に対して違和感を覚えることのないように分割すればよい。
【００３５】
なお、隣り合う２辺どうしを１つの部材とする場合には、その角部は、例えば、各光学部材の角部を構成する端部を斜めに形成し各光学部材を突き合わせた形状、又は各光学部材の角部を構成する端部どうしを円弧状につなぎ合わせた形状に形成すればよい。
なお、図３に示すように、フロントキャビネット２とパネルモジュール１の表示面１ａ側端部との間には隙間が形成されるため、ここに、例えば、枠状の緩衝部材を介在させることにより、フロントキャビネット２とパネルモジュール１とをより確実に固定すると共に、内部へのごみ等の異物の混入を防止するようにしてもよい。
【００３６】
また、液晶テレビ１００の構成部品である、スピーカや、入出力端子等は、背面側に設けるか、或いは別体として設ければよい。
また、パネルモジュール１、フロントキャビネット２及びバックキャビネット３の固定方法はこれに限るものではなく、これらを固定することができれば、どのような方法であってもよい。
【００３７】
次に、上記第１の実施の形態の作用を説明する。
図４（ａ）は、液晶テレビ１００の正面図、（ｂ）は、観察者に見える液晶テレビ１００の正面図、（ｃ）は、従来の液晶テレビの正面図である。
図４（ａ）に示すように、正面側から見た液晶テレビ１００は、フロントキャビネット２の透過面１１７からなる枠状領域１００ａと、表示領域１１ａとが見えることになる。
【００３８】
ここで、フロントキャビネット２は、前述のように光学部材２００で構成されており、正面側から見て透過面１１７と重なる領域の背部の光が透過面１１７から出射される。このため、実際には、フロントキャビネット２が存在するが、透過面１１７すなわち枠状領域１００ａから、フロントキャビネット２の背部の光が出射されるため、観察者からは、枠状領域１００ａには背景像が表示されて見えることになる。つまり、図４（ｂ）に示すように、液晶テレビ１００が壁に配置されており壁紙が花柄である場合には、観察者には、枠状領域１００ａの部分も花柄に見えることから、フロントキャビネット２があたかもないように見え、表示領域１１ａのみが見えることになる。
【００３９】
したがって、パネルモジュール１の表示領域１１ａの周囲に、駆動回路や配線等が配置された非表示領域１１ｂを有するにも関わらず、この非表示領域１１ｂが存在しない場合と同等の状態を実現することができる。
ここで、図４（ｃ）に示す従来のように、駆動回路や配線等が配置された非表示領域を、フロントキャビネットで隠す構成にした場合、観察者からは、表示領域１１ａの周囲にフロントキャビネットが存在して見える。このため、表示領域１１ａの周囲にいわゆる額縁領域が存在して見えることになり、液晶テレビ１００の観察者に対して違和感を与える可能性がある。しかしながら、上記第１の実施の形態においては、図４（ｂ）に示すように、見た目には額縁領域が存在しないから観察者に対して違和感を与えることを回避することができる。特に、リビング等くつろぎの場所に液晶テレビを配置した場合等には、液晶テレビ１００の表示映像のみが浮きあがって見えることになり、幻想的な雰囲気を醸し出すことができる。
【００４０】
また、図２に示すように、光学部材２００を反射面及び透過面で構成し、８回反射させて透過面１１７から出射させる構成としているため、背景像が上下左右に反転することはない。
また、透過面１１１、１１５及び１１７は、透過面及び反射面として用いているから、その分、光学部材２００の面の数を削減することができる。
【００４１】
また、反射面１１２〜１１４、１１６、１１８では、反射膜を設けて全反射させるようにし、また、透過面１１１、１１５及び１１７を、反射面として作用させる場合には、全反射させる構成としているから、各面における反射の際の光量の減少を防止することができ、観察者に見える背景像を、鮮明な背景像とすることができる。
また、背景像を反射のみによって伝達しているため、色収差が生じることなく、観察者に見える背景像を、鮮明な背景像とすることができる。
【００４２】
なお、上記第１の実施の形態においては、光学部材２００を、図２に示すように、表示面１ａ側から見て、逆Ｓ字形状に形成した場合について説明したがこれに限るものではなく、８回反射させる構成であればどのような構成でもよい。また、反射回数は８回に限るものではない。上下左右反転しない背景像を得るためには偶数回反射させればよいから、偶数回反射させる構成であれば何回反射させてもよい。
また、奇数回の場合には、観察者は、背景像が反転して見えることになるが、例えば、背景が無地の場合等、反転していても違和感を与えない場合には、奇数回反射させる光学部材であってもよい。
【００４３】
また、上記第１の実施の形態においては、光路長差が発生するため、透過面１１７において背景像が歪んで見える可能性がある。この場合には、例えば図５に示すように、正面側から見てフロントキャビネット２と重なる位置に、枠状のリレーレンズ１００ｂを設けることで、フロントキャビネット２の正面側に伝達される背景像の歪みを吸収するようにしてもよい。このリレーレンズ１００ｂは、液晶テレビ１００の前面側及び背面側の何れに配置してもよいが、見栄え等の点を考慮して、例えば背面側に配置すればよい。また、必ずしも枠状に限るものではなく、必要に応じて、液晶テレビ１００の左右の辺にのみ柱状のリレーレンズを配置するようにしてもよい。
【００４４】
ここで、上記第１の実施の形態において、表示面１ａ側から見て透過面１１１の領域Ｗ１と重なる領域が入射面に対応し、透過面１１７の領域Ｗ１と重なる領域が出射面に対応している。
また、透過面１１１が第１の透過面に対応し、反射面１１２が第１の反射面に対応し、透過面１１７が第２の透過面に対応し、反射面１１６が第２の反射面に対応している。
【００４５】
次に、本発明の第２の実施の形態を説明する。
この第２の実施の形態は、第１の実施の形態において、光学部材２００の光路が異なり、フロントキャビネット２の形状が異なること以外は同様であるので、同一部には同一符号を付与し、その詳細な説明は省略する。
図６は、第２の実施の形態における、フロントキャビネット２の構成を示す図である。正面側から見て、フロントキャビネット２を構成する左側の枠部分を示す図であって、（ａ）は水平断面図、（ｂ）は斜視図である。
【００４６】
フロントキャビネット２は、図６に示すように、断面が線対称に構成され、線対称の軸となる位置に、パネルモジュール１及びバックキャビネット３の端部を収納する窪み２０１を有する。そして、光学部材２００の外面は複数の平面と２つの放物面とで構成される。
なお、パネルモジュール１とバックキャビネット３とを、図６では、模式的にパネルモジュール１として表している。また、パネルモジュール１の非表示領域１１ｂとフランジ部１２とを、図６では、模式的に非表示領域１１ｂとして表している。
【００４７】
また、図６の説明においては、パネルモジュール１の表示面１ａ側から見た位置関係として説明する。
窪み２０１は、図６に示すように、放物面からなる側面２０１ａと２０１ｂとをその端部を突き合わせて形成される。
光学部材３００は、図６に示すように、入射側の透過面２１１と、入射側の放物面２１２と、反射面２１３と、出射側の放物面２１４と、出射側の透過面２１５と、を備える。前記放物面２１２及び２１４と反射面２１３の外周にはアルミ箔等の反射膜が貼着され、それぞれ放物面鏡及び平面鏡を形成している。
透過面２１１は、窪み２０１にパネルモジュール１が収容された場合に、パネルモジュール１の表示面１ａ側から見てパネルモジュール１の後に位置し、透過面２１１の背部の光（背景）を入射しこれを透過する。
【００４８】
放物面２１２は、窪み２０１の一方の側面２０１ａを形成し、透過面２１１で透過された入射光を、後述の反射面２１３に向けて反射する。また、放物面２１２の焦点Ｘが、反射面２１３上に位置するように配置される。また放物面２１２は、窪み２０１にパネルモジュール１が収容されたときに、表示面１ａ側から見て、パネルモジュール１の非表示領域１１ｂと重なる幅を有し、且つ反射面２１２の表示領域１１ａ側の端部は、非表示領域１１ｂと表示領域１１ａとの境界位置又はこの境界位置よりも若干表示領域１１ａ側に入った位置に配置される。つまり、後述のように、光学部材３００により迂回して前面側から出射される背景像と表示領域１１ａの表示映像とが、表示領域１１ａと非表示領域１１ｂとの境界位置で隣接するか、又は背景像が表示領域１１ａと一部重なるように配置され、このとき観察者に対して表示領域１１ａ上に背景像が重なって見えることにより、観察者から見て、表示領域１１ａの表示映像の妨げとならない程度に重なるように配置される。
【００４９】
反射面２１３は、放物面２１２の焦点Ｘの位置に透過面２１１と垂直に配置され、放物面２１２からの反射光を後述する放物面２１４に向けて反射する。
放物面２１４は、前記窪み２０１の他方の側面２０１ｂを形成し、前記放物面２１２の表示領域１１ａ側の端部と突き合わせて配置される。また、放物面２１４は、前記放物面２１２の焦点Ｘと同一位置に焦点を有し、前記放物面２１２と放物面２１４との接合点と焦点Ｘとを結ぶ線分を軸として、前記放物面２１４と前記放物面２１２とは線対称の関係にある。このため、放物面２１４は、前記反射面２１３の反射光を受け、これを前記透過面２１１に垂直な平行光に変換して反射する。
【００５０】
また放物面２１４は放物面２１２と同じ幅を有し、且つその表示領域１１ａ側の端部は、放物面２１２の表示領域１１ａ側の端部と重なる位置に配置される。
透過面２１５は、前記放物面２１２及び２１４の線対称の軸と同一軸を軸として、前記透過面２１１と線対称の関係にある。このため、透過面２１５は、前記透過面２１１と平行に配置され、前記透過面２１１で透過された入射光を垂直に入射しこれをそのまま透過して出射すると共に、前記放物面２１４で反射された平行光を垂直に入射し、これをそのまま出射する。
【００５１】
したがって、図６に示すように、透過面２１５において、表示面１ａ側から見て放物面２１２及び２１４と重なる領域Ｗ１１においては、この領域Ｗ１１と重なる背部の光が出射され、放物面２１２及び２１４と重ならない領域Ｗ１２においては、この領域Ｗ２と重なる背部の光が透過面２１１で透過されこれがそのまま透過面２１５から出射される。このため、透過面２１５には、表示面１ａ側から見て透過面２１５と重なる領域の背景像が表示されて見えることになる。
【００５２】
このため、図６に示すように、窪み２０１にパネルモジュール１を収容し、表示面１ａ側から見たとき、パネルモジュール１の非表示領域１１ｂは、フロントキャビネット２により覆われるため、フロントキャビネット２の透過面２１５と表示領域１１ａとのみが見えることになる。このとき、透過面２１５からフロントキャビネット２の背部の光が、直接又は反射されて出射されるため、表示面１ａ側の観察者には、透過面２１５には、パネルモジュール１の非表示領域１１ｂと重なる領域Ｗ１１の背景像と領域Ｗ１２の背景像とが表示されて見えることになる。よって、観察者には、あたかもフロントキャビネット２が存在しないかのように見えることになるため、この場合も、液晶テレビ１００の表示領域１１ａのみが見えることになる。
【００５３】
図７は、フロントキャビネット２と、パネルモジュール１及びバックキャビネット３との取り付け部分の概略構成図である。なお図７は、液晶テレビ１００を正面側から見て、左側面における取り付け部分の断面を表す。
パネルモジュール１とバックキャビネット３とは、上記第１の実施の形態と同様に、バックキャビネット３の覆部３１にパネルモジュール１のパネル部１１を収容した状態で、パネルモジュール１のフランジ部１２とバックキャビネット３のフランジ部３２とを重ね合わせてフランジ部１２側からネジ止めすること等により固定される。
この固定されたパネルモジュール１及びバックキャビネット３に、これらの端面を覆うようにフロントキャビネット２が配置され、フロントキャビネット２とバックキャビネット３とが、分散して配置される複数の取り付け部材７によって固定される。
【００５４】
この取り付け部材７は、保持部７１と、当該保持部７１と一体に形成されるベース部７３とを有する。保持部７１は、反射面２１３の透過面２１１側の部分から透過面２１１に沿って折り曲げられて延び、透過面２１１の放物面２１２側の端部で反射面２１３と略平行となるように折れ曲がった、略カタカナの“コ”の字状を有する。また、ベース部７３は、表示面１ａ側から見てバックキャビネット３の覆部３１の角部に沿った鍵型形状を有し、鍵型の覆部３１の底面と対向する面の略中央部分から前記保持部７１の一端が略垂直に立ち上がって形成され、且つ鍵型部分の覆部３１の側面と対向する面と、保持部７１の他端側の面とが略平行となるように形成される。
【００５５】
そして、保持部７１により反射面２１３及び透過面２１１を保持し、且つ放物面２１２の外周の一部を、ベース部７３の覆部３１の角に沿った角部７３ａで支持することにより、表示面１ａ側から見てフロントキャビネット２の後側の部分を、保持部７１とベース部７３の角部７３ａとにより保持する。そして、この状態で、ベース部７３をバックキャビネット３の背面にネジ止めすること等により、フロントキャビネット２とバックキャビネット３とが固定され、結果的に、フロントキャビネット２とバックキャビネット３との間にパネルモジュール１が挟まれて、これらが固定される。
【００５６】
なお、取り付け部材７は透過面２１１に沿って配置されるため、透過面２１１の取り付け部材７により覆われる領域に対応する光は入射されず、フロントキャビネット２に背景像が表示されていない領域が存在することになる。したがって、取り付け部材７は、例えば、フロントキャビネット２の四隅等、背景像が表示されて見えない領域が存在した場合であっても観察者にできるだけ違和感を与えることのない位置に配置する。また、取り付け部材７の幅を、できるだけ短くする等、取り付け部材７により透過面２１１が覆われる領域ができるだけが小さくなるように形成する。
【００５７】
なお、ベース部７３の、覆部３１の角に沿った角部７３ａと、放物面２１２との間にゴム等のシール部材を介在させ、取り付け部材とフロントキャビネット２をより確実に固定するようにしてもよい。
また、この場合も図７に示すように、フロントキャビネット２とパネルモジュール１の表示面１ａ側の端部との間に隙間が形成されるため、この隙間に例えば、枠状の緩衝部材を介在させることにより、フロントキャビネット２とパネルモジュール１とをより確実に固定すると共に、内部へのごみ等の異物の混入を防止するようにしてもよい。
また、この場合も、フロントキャビネット２は、複数の部材に分割して形成され、フロントキャビネット２の分断させた各部材を、パネルモジュール１及びバックキャビネット３に取り付けると共に、複数の部材どうしを固定することで固定される。
【００５８】
次に、上記第２の実施の形態の作用を説明する。
フロントキャビネット２は、前述のように光学部材３００で構成されており、フロントキャビネット２の正面側の面となる透過面２１５からは、液晶テレビ１００の、正面側から見て透過面２１５と重なる領域の背部の光が出射される。したがって、この第２の実施の形態においても、図４（ａ）に示すように、実際には、フロントキャビネット２が存在するが、観察者からは、枠状領域１００ａにはフロントキャビネット２の背景が表示されて見えるため、図４（ｂ）に示すように、枠状部材１００ａがあたかもないように見え、表示領域１１ａのみが見えることになる。よって、見た目には額縁領域が存在しないから、観察者に対して違和感を与えることを回避することができる。
【００５９】
また、光学部材３００を、放物面鏡を用いて形成しているため、反射面のみを用いる場合に比較して、より少ない端面数で形成することができ、比較的簡易な形状で実現することができる。
また、反射面２１３、放物面２１２及び２１４では、その外周に反射膜を設けて全反射させるようにしているから、これら面における反射の際の光量の減少を防止することができ、観察者に見える背景像を、鮮明な背景像とすることができる。
【００６０】
また、背部の光を反射のみによって伝達しているため色収差が生じることなく、観察者に見える背景像を、鮮明な背景像とすることができる。
また、この第２の実施の形態においても光路長差が発生するため、この場合も上記第１の実施の形態と同様にリレーレンズを配置してもよく、また、リレーレンズと等価となるように、放物面を補正することで、光路長差を吸収するようにしてもよい。
ここで、透過面２１１の領域Ｗ１１と重なる領域が入射面に対応し、透過面２１５の領域Ｗ１１と重なる領域が出射面に対応している。また、放物面２１２が第１の放物面鏡に対応し、放物面２１４が第２の放物面鏡に対応し、反射面２１３が一の反射面に対応している。
【００６１】
次に、本発明の第３の実施の形態を説明する。
この第３の実施の形態は、第２の実施の形態において、フロントキャビネット２を構成する光学部材の形状が異なること以外は同一であるので、同一部には同一符号を付与し、その詳細な説明は省略する。
図８は、第３の実施の形態における、フロントキャビネット２の構成を示す図である。正面側から見て、フロントキャビネット２を構成する左側の枠部分を表す水平断面図である。
【００６２】
図８に示すように、第３の実施の形態におけるフロントキャビネット２は、上記第２の実施の形態におけるフロントキャビネット２において、パネルモジュール１及びバックキャビネット３の端部を収納する窪みとして底面のある窪み３０１を有したものである。
なお、パネルモジュール１とバックキャビネット３とを、図８では、模式的にパネルモジュール１として表している。また、パネルモジュール１の非表示領域１１ｂとフランジ部１２とを、図８は、模式的に非表示領域１１ｂとして表している。
【００６３】
また、図８の説明においては、パネルモジュール１の表示面１ａ側から見た位置関係として説明する。
この光学部材４００は、表示面１ａ側から見てパネルモジュール１の表示面１ａ側と背面側とで線対称に形成される。
窪み３０１は、図８に示すように、底面３０１ａと、その側面をなす、放物面からなる側面３０１ｂ及び３０１ｃを備える。
【００６４】
光学部材４００は、図８に示すように、入射側の透過面３１１と、入射側の放物面３１２と、反射面３１３と、出射側の透過面３１４と、出射側の放物面３１５と、を備える。前記放物面３１２及び３１５と反射面３１３の外周にはアルミ箔等の反射膜が貼着され、それぞれ放物面鏡及び平面鏡を形成している。
透過面３１１は、窪み３０１にパネルモジュール１が収容された場合に、パネルモジュール１の表示面１ａ側から見てパネルモジュール１の後に位置し、パネルモジュール１の背部の光（背景）を入射する。また、透過面３１１は放物面３１２の反射光を入射し、臨界角よりも大きな角度で入射される反射光を反射面３１３に向けて反射する。つまり、透過面３１１は、透過面として作用すると共に、反射面として作用する。
【００６５】
放物面３１２は、窪み３０１の一方の側面３０１ａを形成し、その焦点は、後述する反射面３１３上に位置する。また、放物面３１２は、透過面３１１に入射される、放物面３１２の反射光の入射角が、透過面３１１の臨界角よりも大きな角度となる位置に配置される。そして、放物面３１２は、透過面３１１で透過された入射光を受け、これを透過面３１１の、反射面３１３寄りの方向に向けて反射する。
【００６６】
また放物面３１２は、窪み３０１にパネルモジュール１が収容されたときに、表示面１ａ側から見て、パネルモジュール１の非表示領域１１ｂと重なる幅を有し、且つ反射面３１２の表示領域１１ａ側の端部は、非表示領域１１ｂと表示領域１１ａとの境界位置又はこの境界位置よりも若干表示領域１１ａ側に入った位置に配置される。
つまり、後述のように、背部の光が光学部材４００により迂回して前面側から出射されることにより表示されて見える背景像と表示領域１１ａの表示映像とが、表示領域１１ａと非表示領域１１ｂとの境界位置で隣接するか、又は背景像が表示領域１１ａと一部重なるように配置され、このとき観察者には、表示領域１１ａ上に背景像が重なって表示されて見えることにより、表示領域１１ａの表示映像の妨げとならない程度に重なるように配置される。
【００６７】
反射面３１３は、透過面３１１で反射された放物面３１２の反射光の焦点Ｘの位置に、透過面３１１と垂直に配置される。反射面３１３は、透過面３１１の反射光を透過面３１４に向けて反射する。
透過面３１４は、焦点Ｘを通り、且つ透過面３１１と平行な直線を軸として、透過面３１１と線対称の関係にあって、透過面３１１と平行に配置される。透過面３１４は、透過面３１１を透過した透過光を垂直に入射しこれをそのまま透過して出射すると共に、反射面３１３の反射光を放物面３１５に向けて反射する。透過面３１１と透過面３１４とは線対称の関係にあるため、透過面３１４に入射される反射面３１３の反射光は、透過面３１４の臨界角よりも大きな角度で入射されることから透過面３１４で全反射される。また、透過面３１４は、放物面３１５からの垂直に入射される平行光からなる反射光をそのまま透過させて出射する。つまり、透過面３１４は、反射面３１３の反射光を全反射する反射面として作用すると共に、透過面３１１の透過光及び放物面３１５の反射光を透過する透過面して作用する。
【００６８】
放物面３１５は、窪み３０１の他方の側面３０１ｃをなし、前記透過面３１１及び３１４の線対称の軸と同一軸を軸として放物面３１２と線対称の関係にある。放物面３１５は、透過面３１４の反射光を平行光に変換して透過面３１４に向けて反射する。放物面３１２と放物面３１５とは線対称の関係にあるため、放物面３１５で反射された平行光からなる反射光は、透過面３１４に垂直に入射される。
また、放物面３１５は、放物面３１２と同じ幅を有し、且つその表示領域１１ａ側の端部は、放物面３１２の表示領域１１ａ側の端部と重なる位置に配置される。
【００６９】
このため、図８に示すように、透過面３１４において、表示面１ａ側から見て、放物面３１２及び３１５と重なる領域Ｗ２１においては、この領域Ｗ２１と重なる背景の背景像が反射面３１４に表示されて見え、反射面３１４の、放物面３１２及び３１５と重ならない領域Ｗ２２においては、この領域Ｗ２２と重なる背景が透過面３１１で透過されこれがそのまま反射面３１４に背景像として表示されて見えることになる。したがって、反射面３１４には、表示面１ａ側から見て反射面３１４と重なる領域の背景像が表示されて見えることになる。
【００７０】
したがって、この場合も上記第２の実施の形態と同等の作用を得ることができると共に、この第３の実施の形態においては、放物面３１２と３１５との間に間隔を設けているから、その分、表示面１ａ側から見てフロントキャビネット２の枠の幅及びその奥行きを小さくすることができる。
また、この場合も、反射面３１３及び放物面３１２、３１５には反射膜を設けて全反射させるようにし、また、透過面及び反射面として作用する透過面３１１及び透過面３１４でも、入射される反射光を全反射するようにしているから、反射の際に光量が減少することはなく、観察者に見える背景像を、鮮明な背景像とすることができる。
ここで、透過面３１１の領域Ｗ２１と重なる領域が入射面に対応し、透過面３１４の領域Ｗ２１と重なる領域が出射面に対応し、放物面３１２が第１の放物面鏡に対応し、放物面３１４が第２の放物面鏡に対応し、反射面３１３が一の反射面に対応している。また、透過面３１１が第１の透過面に対応し、透過面３１４が第２の透過面に対応している。
【００７１】
なお、この第３の実施の形態のように、放物面３１２の反射光を１回反射させて焦点Ｘに伝達する場合に限るものではなく、例えば、図９（ａ）に示すように、放物面（第１の放物面鏡）３１２の反射光を、２回反射させて焦点Ｘに伝達するようにしてもよい。つまり、放物面３１２と放物面（第２の放物面鏡）３１５との間に、パネルモジュール１と対向する側に突出して配置され且つ反射面３１３と平行な突出面（一の反射面）４１１を設け、この突出面４１１の外周にアルミ箔等の反射膜を貼着して平面鏡を形成する。また、反射面（第１の反射面、第２の反射面）３１３において、透過面（第１の透過面）３１１の反射光をさらに突出面４１１に向けて反射させ、この突出面４１１上に、透過面３１１、反射面３１３で反射された放物面３１２の焦点Ｘを配置する。
【００７２】
透過面３１１と透過面（第２の透過面）３１４、放物面３１２と放物面３１５とは、焦点Ｘを通り、透過面３１１と平行な直線を軸として線対称の関係にあることから、透過面３１１で透過された光は、放物面３１２で反射され、透過面３１１及び反射面３１３で全反射されて、突出面４１１に焦点Ｘが形成され、この突出面４１１で反射された、焦点Ｘから発散する反射光が、反射面３１３、透過面３１４で反射されて放物面３１５に伝達されここで、平行光に変換されて透過面３１４に垂直に入射され、透過面３１４で透過されて出射される。また、透過面３１４側から見て、放物面３１２と重ならない領域では、透過面３１１に入射された光は、そのまま透過面３１４から出射される。したがって、透過面３１４には、表示面１ａ側から見て透過面３１４と重なる領域の背景像が表示されて見えることになる。
【００７３】
したがって、この場合も上記第３の実施の形態と同等の作用効果を得ることができると共に、反射回数を増やし、光路を折り曲げたため、その分、フロントキャビネット２の枠の幅をより狭くすることができる。
また、例えば、図９（ａ）に示すように焦点Ｘが位置する面４１１を突出させず、図９（ｂ）に示すように、放物面３１２及び３１５の端部間に面４１１を配置するようにしてもよく、この場合もフロントキャビネット２の枠の幅を狭くすることができる。
【００７４】
また、この第３の実施の形態の場合も、フロントキャビネット２の背部の光を、反射のみによって伝達しているため、色収差が生じることなく、観察者に見える背景像を、鮮明な背景像とすることができる。
また、この第３の実施の形態においても、光路長差が発生するが、この場合も上記第１の実施の形態と同様にリレーレンズを配置することで光路長差を吸収するようにしてもよく、また、リレーレンズと等価となるように、放物面を補正することで、光路長差を吸収するようにしてもよい。
【００７５】
なお、上記各実施の形態においては、反射面として作用する面においては、全反射させる場合について説明したが、反射される光は、背景に相当する光であって必ずしも鮮明である必要はないため、全反射させなくともよい。例えば、液晶テレビ１００の背景が特徴のある模様の場合等には、フロントキャビネット２に表示されて見える背景像が鮮明でないと違和感を与える可能性もあるが、背景が淡い色の壁等の場合には、背景像が多少鮮明でなくとも観察者に対してそれほど違和感を与えるものではない。したがって、液晶テレビ１００の設置場所の背景等に応じて全反射させるか否かを決定してもよい。
【００７６】
また、上記各実施の形態においては液晶テレビ１００に適用した場合について説明したが、これに限るものではなく、パソコン等の液晶表示装置であっても適用することができ、また、プラズマ表示装置、ＥＬディスプレイ等、フラットパネルディスプレイであれば適用することができる。
また、上記各実施の形態においては、フロントキャビネット２自体を光学部材で形成した場合について説明したが、これに限るものではなく、フロントキャビネット２と光学部材とを別体として形成してもよい。つまり、パネルモジュールがフロントキャビネットとバックとキャビネットとで固定された液晶テレビそのものにおいて、その端面から非表示領域を覆い且つその前面及び後面側を挟む大きさに、上述の光学部材を形成し、この光学部材を液晶テレビの外径に沿って取り付けるようにしてもよい。また、光学部材を取り外し可能に構成するようにしてもよい。
【００７７】
また、上記各実施の形態においては、液晶テレビの４辺全てに光学部材を配置し、表示領域１１ａ周囲の４辺全てがあたかも存在しないかのように見せる場合について説明したが、これに限るものではなく、例えば２辺、或いは３辺のみに設けるようにしてもよい。この場合には、下辺を除く３辺、或いは、左右の２辺のみ等、４辺のうち、何れかの辺のみが存在して見えたとしても観察者に違和感を与えることのないように、配置すればよい。また、例えば、スピーカや入出力端子等が配置される領域をくり抜き、スピーカや入出力端子部分を除く領域のみを、観察者から見えなくなるようにしてもよい。
【図面の簡単な説明】
【００７８】
【図１】本発明を適用した液晶テレビを分解した概略斜視図である。
【図２】フロントキャビネットを構成する光学部材の詳細を示す図である。
【図３】フロントキャビネットと、パネルモジュール及びバックキャビネットとの取り付け部を示す概略図である。
【図４】本発明の動作説明に用いる説明図である。
【図５】リレーレンズの配置した一例である。
【図６】第２の実施の形態における、フロントキャビネットを構成する光学部材の詳細を示す図である。
【図７】第２の実施の形態における、フロントキャビネットと、パネルモジュール及びバックキャビネットとの取り付け部を示す概略図である。
【図８】第３の実施の形態における、フロントキャビネットを構成する光学部材の詳細を示す図である。
【図９】フロントキャビネットを構成する光学部材のその他の例である。
【符号の説明】
【００７９】
１  パネルモジュール、２フロントキャビネット、３バックキャビネット、２００  光学部材
【図１】
2009086116.tif 000003
【図２】
2009086116.tif 000004
【図３】
2009086116.tif 000005
【図４】
2009086116.tif 000006
【図５】
2009086116.tif 000007
【図６】
2009086116.tif 000008
【図７】
2009086116.tif 000009
【図８】
2009086116.tif 000010
【図９】
2009086116.tif 000011